(57)【特許請求の範囲】
【請求項１】
駆動モータ（３２）により駆動される送風機（３０）、室内側熱交換器（４０）、およびドレンパン（５０）を収容するケーシング（１０，２１）を有し、このケーシング（１０，２１）の天板（２３）に前記送風機（３０）が固定されるとともに、このケーシング（１０，２１）の下方に室内吸込口（１２）が形成されている空気調和機において、
前記ドレンパン（５０）は、平面的に見て長方形を成し、その長手方向の端部が前記ケーシング（１０，２１）に固定されるとともに、前記長手方向の中間部が前記天板から垂下された吊り部材により前記天板（２３）に支持され、
前記送風機（３０）は、回転軸を鉛直方向として配置された二つのターボファンから成り、これら二つのターボファンは前記ドレンパン（５０）の長手方向において互いに離間して配置され、
前記吊り部材は、前記ドレンパン（５０）の長手方向において前記二つのターボファンの間を仕切る仕切壁（７０）の機能を兼ねるように構成され、
前記ドレンパン（５０）の下方に電装品箱（９２）が配置され、
前記電装品箱（９２）は、前記吊り部材に固定され、
前記ドレンパン（５０）は、前記電装品箱（９２）により下方から支持された状態で前記天板（２３）に支持されている
ことを特徴とする空気調和機。
【発明の詳細な説明】
【技術分野】
【０００１】
本発明は、空気調和機に関し、特に、空気調和機の室内機のドレンパンの支持構造に関する。
【背景技術】
【０００２】
駆動モータにより駆動される送風機、室内側熱交換器、およびドレンパンを収容するケーシングを有し、このケーシングの天板に送風機が固定されるとともに、このケーシングの下方に室内吸込口が形成されている空気調和機として、例えば特許文献１に記載の天井埋込型空気調和機が知られている。
【０００３】
この種の天井埋込型空気調和機は、平面的に見て長方形のケーシングの長手方向においてケーシングの全体にわたり延びるドレンパンを有する。また、このような天井埋込型空気調和機においては、ドレンパンとして発泡樹脂成形品が用いられることが多い。そして、ドレンパンに貯留されたドレンは、このような発泡樹脂製ドレンパンの長手方向の端部から排出されることが多い。このため、ドレンパンは、一般に、長手方向の中間部で下方に撓むことがないように、フレーム構造により支持されている。
【先行技術文献】
【特許文献】
【０００４】
【特許文献１】特開２００３−２８７２３９号公報
【発明の概要】
【発明が解決しようとする課題】
【０００５】
しかしながら、上記天井埋込型空気調和機においては、ドレンパンを支持するフレーム構造が重量増加の要因となっている。そこで、搬送容易化、据付工事の容易化、コスト削減などの観点から、このようなフレーム構造を不要としたドレンパンの支持構造が要請されている。
【０００６】
本発明は、上記課題を解決するため、ドレンパンの長手方向の中間部の撓みを抑制するためのフレーム構造を廃止し、これに代わる構造を採用することにより軽量化した空気調和機を提供することを目的とする。
【課題を解決するための手段】
【０００７】
請求項１に記載の発明に係る空気調和機は、駆動モータにより駆動される送風機、室内側熱交換器、およびドレンパンを収容するケーシングを有し、このケーシングの天板に前記送風機が固定されるとともに、このケーシングの下方に室内吸込口が形成されている空気調和機において、前記ドレンパンは、平面的に見て長方形を成し、その長手方向の端部が前記ケーシングに固定されるとともに、前記長手方向の中間部が前記天板から垂下された吊り部材により前記天板に支持され、前記送風機は、回転軸を鉛直方向として配置された二つのターボファンから成り、これら二つのターボファンは前記ドレンパンの長手方向において互いに離間して配置され、前記吊り部材は、前記ドレンパンの長手方向において前記二つのターボファンの間を仕切る仕切壁の機能を兼ねるように構成されている。
【０００８】
上記構成によれば、ドレンパンの長手方向の中間部は、吊り部材により天板に支持されるので撓みが抑制される。なお、ケーシングは、通常、室内側熱交換器、送風機などの内部機器を支持する強度を備えている。特に、ケーシングの天板は、一般に送風機の駆動モータが取り付けられており、この駆動モータの加振力による振動を抑制するために、リブにより十分に補強されている。したがって、ドレンパンの長手方向の中間部を吊り部材により天板に支持することにより、従来一般的に行われていたドレンパンを支持するためのフレーム構造を省略してドレンパンの撓みを抑制することができる。また、空気調和機をこのように構成することにより、空気調和機を軽量化することができる。
【０００９】
また、前記送風機は、前記ドレンパンの長手方向において互いに離間して配置された二つのターボファンから成り、これら二つのターボファンは前記ドレンパンの長手方向において互いに離間して配置され、前記吊り部材は、前記ドレンパンの長手方向において前記二つのターボファンの間を仕切る仕切壁の機能を兼ねるように構成されている。上記構成によれば、二つのターボファンの間に配設された吊り部材により、ドレンパンの長手方向の中間部を効果的に支持することができる。
【００１０】
また、吊り部材が二つのターボファンの間を仕切る仕切壁の機能を兼ねるため、吊り部材および仕切壁を個別に形成する構成と比較して、空気調和機を構成する部品が少なくなる。
【００１１】
また、前記空気調和機において、前記ドレンパンの下方に電装品箱が配置され、前記電装品箱は、前記吊り部材に固定され、前記ドレンパンは、前記電装品箱により下方から支持された状態で前記天板に支持されている。
【００１２】
上記構成によれば、ドレンパンは、電装品箱が吊り部材に固定されることにより、ドレンパンの長手方向の中間部が電装品箱により支持された状態で天板に支持される。したがって、ドレンパンは、電装品箱により広い支持面積で下方から支持されるので、ドレンパンの撓みを効果的に防止することができる。
【発明の効果】
【００１３】
本発明の空気調和機は、ケーシングの天板に固定された吊り部材によりドレンパンの長手方向の中間部が天板に支持されるため、フレーム構造を廃止してドレンパンの長手方向の中間部の撓みを抑制することができる。また、吊り部材が二つのターボファンの間を仕切る仕切壁の機能を兼ねるため、吊り部材および仕切壁を個別に形成する必要がなく空気調和機を構成する部品を少なくすることができる。また、ドレンパンは、電装品箱により広い支持面積で下方から支持されているので、ドレンパンの撓みを効果的に防止することができる。
【図面の簡単な説明】
【００１４】
【図１】一実施形態の空気調和機について、（ａ）は同空気調和機の外観斜視図であり、（ｂ）は同空気調和機の平面図である。
【図２】同空気調和機における製品本体の内部の機器配置を示した平断面図である。
【図３】同空気調和機における製品本体の内部の機器配置を示し、化粧パネルを省略した底面図である。
【図４】同空気調和機の送風機およびその周辺の機器配置を示した側断面図である。
【図５】同空気調和機の仕切壁およびその周辺の機器配置を示した側断面図である。
【図６】同空気調和機の仕切壁の斜視図である。
【図７】その他の実施形態の空気調和機における仕切壁およびその周辺の機器配置を示した側断面図である。
【図８】その他の実施形態の空気調和機における仕切壁の下方固定部およびその周辺の機器配置を示した側断面図である。
【図９】その他の実施形態の空気調和機における製品本体の内部の機器配置を示した平断面図である。
【発明を実施するための形態】
【００１５】
図１〜図６を参照して、本実施の形態に係る空気調和機の構成について説明する。
本実施の形態に係る空気調和機は、２方向吹出し式の天井埋込型空気調和機であって、分離型空調機における室内ユニットを構成する。
【００１６】
この天井埋込型空気調和機は、図１（ａ）に示されるように、平面形状が長方形を成す直方体状の天井埋込型空気調和機であって、化粧パネル１０とこの化粧パネル１０の上方に連結される製品本体２０とから構成されている。化粧パネル１０は、天井材１（図４参照）に取り付けられ、製品本体２０は天井裏の建築構造部材（図示略）に対し吊り下げられるように取り付けられている。なお、化粧パネル１０および製品本体２０は双方ともに平面形状が長方形を成すが、製品本体２０が化粧パネル１０よりも一回り小さい長方形になっている。
【００１７】
以下では、室内ユニットの長手方向を「長手方向Ｘ」とし、室内ユニットの短手方向を「短手方向Ｙ」とする。また、長手方向Ｘにおける一方側を「Ｘ１」とするとともに、長手方向Ｘにおける他方側を「Ｘ２」とし、これらを図１および図２に示されるように定義する。
【００１８】
化粧パネル１０は、図１（ａ）および図４に示されるように、対向する二つの長辺に沿って温度調節された空気を室内へ吹き出す室内吹出口１１が形成されている。また、この室内吹出口１１の内側に沿って、室内空気を吸い込む細長の室内吸込口１２が形成されている。
【００１９】
製品本体２０は、図１〜図３に示されるように、直方体形状を成す箱状の本体ケーシング２１内に送風機３０、室内側熱交換器４０、ドレンパン５０、２つの電装品ユニット８０，９０等を内蔵する。
【００２０】
本体ケーシング２１は、送風機３０および室内側熱交換器４０を囲う側板２２と、送風機３０および室内側熱交換器４０を上方から覆う天板２３とが形成されている。天板２３は、複数のリブ２３Ａ（図１（ｂ）参照）により補強されている。ここで、本明細書における天井埋込型空気調和機のケーシングとは、この製品本体２０の本体ケーシング２１に化粧パネル１０を組み合わせたものをいう。
【００２１】
送風機３０は、図２に示されるように、長手方向Ｘに一定の間隔をおいて２個配置されている。送風機３０は、回転軸を鉛直方向として製品本体２０内に配置された遠心送風機、より具体的にはターボファンである。より詳細には、送風機３０は、図２に示されるように、平面的に見て長手方向Ｘに延びる中心線ＣＬ上に回転軸が位置するように取り付けられている。また、送風機３０は、図３に示されるように、本体ケーシング２１の天板２３に取り付けられた駆動モータ３２により、図２に示す回転矢印の方向に回転されるように構成されている。さらに、送風機３０は、シュラウド３３を下面とし、シュラウド３３の内周側の開口部から空気を吸い込み、羽根車３１の外周方向に空気を吹き出すように構成されている。また、送風機３０は、シュラウド３３に連通するようにベルマウス３４を有している。また、ベルマウス３４は、製品本体２０内の下面に配置されたエアフィルタ２４および化粧パネル１０の内部空間１３を介して室内吸込口１２に連通するように構成されている。
【００２２】
また、これら送風機３０の中間部には、図２に示されるように、両送風機３０の吹出側空間を仕切るための仕切壁７０が設置されている。さらに、両送風機３０は、その中間点が製品本体２０内において長手方向ＸのＸ２側に偏って配置されている。
【００２３】
室内側熱交換器４０は、平面的に見て、２個の室内吹出口１１と送風機３０との間に配置される２個の分岐熱交換器４１から構成されている。したがって、各分岐熱交換器４１は、送風機３０の吹出側となる位置に配置されている。分岐熱交換器４１は、Ｕ字型の熱交換チューブ（図示略）に対しプレートフィンが取り付けられたプレートフィンコイルである。
【００２４】
分岐熱交換器４１のうちの熱交換チューブに対し配管が接続される側、すなわち長手方向ＸのＸ１側には、図２に示されるように、室内側熱交換器４０周りの冷媒回路を構成する機器、室外ユニット（図示略）との冷媒配管接続に関連する機器、ドレン水を排水するための機器などが配置されている。具体的には、室内側熱交換器４０の周りに、室外ユニットから搬送されてくる液冷媒を分流するための分流器６１、分流器６１で分流された冷媒を各分岐熱交換器４１に搬送するための複数の分流管６２、分岐熱交換器４１からガス冷媒を流出させるための複数の冷媒出口管６３、冷媒出口管６３を集合するためのヘッダー６４が配置されている。また、室外ユニットとの連絡配管（図示略）を接続するための、液側管継手６５およびガス側管継手６６が本体ケーシング２１の側板２２に取り付けられている。さらに、ドレンパン５０のドレン水貯留部に貯留されるドレン水のレベルを検出するドレン水レベルセンサ６７、溜まったドレン水を排水するためのドレンポンプ６８、ドレンポンプ６８により汲み出されるドレン水を排出するための排出管６８Ａ、これを機外の排水管に接続するための管継手６９などが配置されている。
【００２５】
ドレンパン５０は、室内側熱交換器４０の下方に配置されている。また、ドレンパン５０は、平面的に見て長方形を成す直方体状であり、本体ケーシング２１と同等の大きさである。また、ドレンパン５０は、分岐熱交換器４１の直下部分が、分岐熱交換器４１からのドレン水を受けるための溝部５１に形成されている。また、ドレンパン５０は、送風機３０の吹出側と吸込側とを仕切る仕切部材を兼用するために溝部５１以外の部分が連結されている。この部分をこの明細書では仕切板兼用部５２と称する。ただし、仕切板兼用部５２は、図４に示されるように、ベルマウス３４が取り付けられる部分において丸穴５３が開口され、エアフィルタ２４とベルマウス３４とが連通するように形成されている。また、仕切板兼用部５２は、図２〜図４に示されるように、分岐熱交換器４１と側壁との間の空間部の下方において、化粧パネル１０の室内吹出口１１に連通するように細長の角穴５４が形成されている。
【００２６】
ドレンパン５０の長手方向ＸにおけるＸ１側の下方、より具体的には、Ｘ１側の送風機３０と分岐熱交換器４１の端部との間に位置するドレンパン５０の下方には、電装品ユニット８０が配置されている。電装品ユニット８０は、Ｘ１側の送風機３０の駆動モータ３２を駆動するための電気部品８１と、この電気部品８１を収容する電装品箱８２とを有する。
【００２７】
また、ドレンパン５０の長手方向Ｘにおける両送風機３０の中間部に位置するドレンパン５０の下方には、電装品ユニット９０が配置されている。電装品ユニット９０は、Ｘ２側の送風機３０の駆動モータ３２を駆動するための電気部品９１と、この電気部品９１を収容する電装品箱９２とを有する。
【００２８】
ドレンパン５０は、図３に示されるように、長手方向Ｘの両端部において本体ケーシング２１にボルトＢＴにより固定されている。また、長手方向Ｘにおいてドレンパン５０の中間部は、図５に示されるように、仕切壁７０により吊られている。
【００２９】
仕切壁７０は、図６に示されるように、板状の仕切本体７１と、本体ケーシング２１の天板２３に固定するための上方固定部７２と、ドレンパン５０に固定するための下方固定部７３とを有する。
【００３０】
仕切本体７１は、上端部を長手方向Ｘに折り曲げることにより、短手方向Ｙに一定の間隔をおいて３個の上方折曲部７１Ａが形成されている。短手方向Ｙの両側の上方折曲部７１Ａおよび短手方向Ｙの中央の上方折曲部７１Ａは互いに逆方向に折り曲げられている。また、仕切本体７１は、下端部を長手方向Ｘに折り曲げることにより、短手方向Ｙに一定の間隔をおいて３個の下方折曲部７１Ｂが形成されている。下方折曲部７１Ｂは、短手方向Ｙの両側の上方折曲部７１Ａと同方向に折り曲げられている。また、仕切本体７１は、短手方向Ｙの一方の端部を成す辺の中央部に、長手方向Ｘに折り曲げた１個の側方折曲部７１Ｃが形成されている。
【００３１】
上方固定部７２は、短手方向Ｙに一定の間隔をおいて２個形成されている。上方固定部７２は、仕切本体７１の上端部から上方に延びる。上方固定部７２は、短手方向Ｙから見てＬ字形状を成す。
【００３２】
下方固定部７３は、短手方向Ｙに一定の間隔をおいて２個形成されている。下方固定部７３は、仕切本体７１の下端部から下方に延びる。下方固定部７３は、短手方向Ｙから見てＬ字形状を成す。下方固定部７３は、その周縁を折り曲げる周縁折曲部７３Ａが形成されている。
【００３３】
また、仕切壁７０は、図５に示されるように、ボルト（図示略）により本体ケーシング２１の天板２３に固定されている。また、仕切壁７０の下方固定部７３は、ドレンパン５０に形成された貫通孔５５に挿入されている。また、下方固定部７３は、ボルト（図示略）により電装品箱９２に固定されている。また、仕切本体７１は、天板２３および電装品箱９２に固定された状態において、ドレンパン５０の上面および天板２３の下面と隣接している。
【００３４】
次に、以上のように構成された天井埋込型空気調和機の作用について述べる。
ドレンパン５０は、長手方向Ｘに長い形状のため、主に自重によりその長手方向Ｘの中間部が下方に撓みやすい。これに対して、仕切壁７０を介して天板２３がドレンパン５０の長手方向Ｘの中間部を支持するため、ドレンパン５０の長手方向Ｘの中間部が撓みにくくなる。
【００３５】
一方、仕切壁７０は、本体ケーシング２１の天板２３に固定されている。天板２３は、図１（ｂ）に示されるように、駆動モータ３２の加振力による振動を抑制するために、リブ２３Ａにより十分に補強されている。したがって、ドレンパン５０の長手方向Ｘの中間部分を仕切壁７０により天板２３に支持することにより、従来一般的に行われていたドレンパンを支持するためのフレーム構造を省略してドレンパン５０の撓みを抑制することができる。
【００３６】
本実施の形態に係る天井埋込型空気調和機は、以上のように構成されているので、次のような効果を奏することができる。
（１）ドレンパン５０の長手方向Ｘの中間部を仕切壁７０により天板２３に支持することにより、従来一般的に行われていたドレンパンを支持するためのフレーム構造を省略してドレンパン５０の撓みを抑制することができる。また、天井埋込型空気調和機をこのように構成することにより、天井埋込型空気調和機を軽量化することができる。
【００３７】
（２）両送風機３０の中間部に仕切壁７０が配置されている。このため、ドレンパン５０の長手方向Ｘの中間部を効果的に支持することができる。
（３）仕切壁７０がドレンパン５０を吊るため、仕切壁７０は、両送風機３０の吹出側空間を仕切る機能と、ドレンパン５０を吊る機能とを兼ねる。したがって、ドレンパン５０を支持するための吊り部材と、両送風機３０の吹出側空間を仕切るための仕切壁とを個別に形成する構成と比較して、天井埋込型空気調和機を構成する部品が少なくなる。
【００３８】
（４）ドレンパン５０は、電装品箱９２が仕切壁７０に固定されることにより、ドレンパン５０の長手方向Ｘの中間部が電装品箱９２により支持された状態で天板２３に支持される。したがって、ドレンパン５０は、電装品箱９２により広い支持面積で下方から支持されるので、ドレンパン５０の撓みを効果的に防止することができる。
【００３９】
（５）２個の送風機３０は、これらの中間点が製品本体２０内において長手方向ＸのＸ２側に偏るように配置されているので、Ｘ２側の送風機３０と分岐熱交換器４１の端部との間のスペースよりも他方のＸ１側の送風機３０と分岐熱交換器４１の端部との間のスペースを大きくすることができる。したがって、この大きく形成されたスペースを、電装品ユニット８０と電気部品との間を接続する配線スペースなどに有効活用することができる。特に、分岐熱交換器４１のＸ１側の端部の近くには、ドレンポンプ６８、ドレン水レベルセンサ６７などの電気部品が接続されることが多いため、これら電気部品の接続に便利である。
【００４０】
（６）仕切壁７０の下方固定部７３に周縁折曲部７３Ａが形成されているため、下方固定部７３が補強されている。これにより、仕切壁７０がドレンパン５０の自重を受けることにより下方固定部７３に荷重が加えられたとき、下方固定部７３の変形を抑制することができる。
【００４１】
本発明は、上記実施形態に限定されることなく、以下の変更も可能である。なお、以下の変形例は、異なる変形例同士を互いに組み合わせてもよい。
・前記実施の形態の天井埋込型空気調和機は、仕切壁７０を介して天板２３がドレンパン５０を支持している。しかし、本発明は、これに限られない。図７に示されるように、仕切壁７０と個別に形成された吊り部材１００を介して天板２３がドレンパン５０を指示する構成とすることもできる。吊り部材１００は、棒状に形成され、上端部が天板２３に固定され、下端部がドレンパン５０の貫通孔５５を介して電装品箱９２に固定される。吊り部材１００は、短手方向Ｙに一定の間隔をおいて２個配置されている。また、吊り部材１００は、長手方向Ｘにおいて仕切壁７０よりもＸ１側に位置する。なお、吊り部材１００は、長手方向Ｘにおいて仕切壁７０よりもＸ２側に位置してもよい。なお、この変形例の場合、仕切壁７０には、下方固定部７３が形成されていない。
【００４２】
・上記変形例において、吊り部材１００は、両送風機３０の中間部以外の位置、例えば、Ｘ１側の送風機３０と同じ位置に配置することもできる。この場合、ドレンパン５０において吊り部材１００に対応する位置には、金属製の固定板が固定されている。吊り部材１００は、その上端部がボルトにより天板２３に固定され、下端部がボルトにより固定板に固定される。
【００４３】
・上記変形例において、吊り部材１００を１個とすることもできる。吊り部材１００は、ドレンパン５０の短手方向Ｙの中央位置に配置される。また、吊り部材１００を３個以上とすることもできる。
【００４４】
・前記実施の形態の仕切壁７０は、下方固定部７３が電装品箱９２に固定されることによりドレンパン５０を吊っている。しかし、本発明は、これに限られない。図８に示されるように、仕切壁７０は、ドレンパン５０に直接的に固定される構成とすることもできる。より具体的には、ドレンパン５０は、貫通孔５５に代えて、凹部５６が形成される。凹部５６の下端部には、金属製の固定板１１０が固定されている。下方固定部７３は、ボルト（図示略）により固定板１１０に固定される。
【００４５】
・前記実施の形態の天井埋込型空気調和機は、２個の送風機３０を有している。しかし、本発明は、これに限られない。図９に示されるように、１個の送風機３０を有する構成とすることもできる。この場合、天井埋込型空気調和機から仕切壁７０および電装品ユニット９０が省略され、吊り部材１００が追加される。吊り部材１００は、ドレンパン５０の長手方向Ｘの中間部を支持する。ドレンパン５０において吊り部材１００に対応する位置には、吊り部材１００を固定するための固定板（図示略）が配置されている。
【００４６】
・前記実施の形態は、空気調和機として天井埋込型空気調和機について説明した。しかし、本発明は、これに限られない。空気調和機として下方に室内吸込口１２を有する天吊型空気調和機に本発明を適用することもできる。
【符号の説明】
【００４７】
Ｘ…長手方向、１０…化粧パネル（ケーシング）、１２…室内吸込口、２１…本体ケーシング（ケーシング）、２３…天板、２３Ａ…リブ、３０…送風機、３２…駆動モータ、４０…室内側熱交換器、５０…ドレンパン、７０…仕切壁（吊り部材）、９２…電装品箱、１００…吊り部材。
【図１】
0005849795.tif 000002
【図２】
0005849795.tif 000003
【図３】
0005849795.tif 000004
【図４】
0005849795.tif 000005
【図５】
0005849795.tif 000006
【図６】
0005849795.tif 000007
【図７】
0005849795.tif 000008
【図８】
0005849795.tif 000009
【図９】
0005849795.tif 000010